(57)【要約】  この発明は、種々のはめ込み部品をガラス板に固定するに際し、種々の移動方向に取り外し可能に固定可能である保持ソケットに関する。保持ソケットは、随意的に保持ソケットをガラス板に接着又は固定する基部と、基部に対して直角な移動方向に導入可能なはめ込み部品の保持部を収容する少なくとも１つの第１の収容スペースと、基部に対して平行な移動方向に導入可能なはめ込み部品の保持部を収容する少なくとも１つの第２の収容スペースと、を具える。【選択図】図１
2008529206.tif 000002
【特許請求の範囲】
【請求項１】
少なくとも１つの保持ソケット（３）が固定されたガラス板（１）であり、
保持ソケット（３）は、はめ込み部品（２）を前記ガラス板（１）に取り外し可能に固定するのに用いられるとともに、
ａ）基部（１０）と、
ｂ）前記基部（１０）に対して直角な移動方向に導入可能なはめ込み部品（２）の保持部（４）を収容する少なくとも１つの第１の収容スペース（３２）と、
ｃ）前記基部（１０）に対して平行な移動方向に導入可能なはめ込み部品（２）の保持部（４）を収容する少なくとも１つの第２の収容スペース（５２）と、を具えることを特徴とするガラス板。
【請求項２】
前記基部（１０）は、前記保持ソケット（３）を前記ガラス板（１）に固定する、特には接着するためのものである、請求項１に記載のガラス板。
【請求項３】
前記保持ソケット（３）は、前記基部（１０）の側面に、前記ガラス板（１）からみて外方に向くとともに、前記基部（１０）に対して直角に延びるよう配置された少なくとも２つの側壁（３０）を具え、前記側壁は、それらの間に前記第１収容スペース（３２）を包囲する、請求項２に記載のガラス板。
【請求項４】
前記側壁（３０）の領域内に、少なくとも１つの固定要素（３６）が設けられ、該固定要素を用いて前記はめ込み部品（２）の保持部（４）を前記第１収容スペース（３２）内に固定可能である、請求項３に記載のガラス板。
【請求項５】
前記固定要素（３６）は、前記基部（１０）に対して平行に延びる少なくとも１つの係止隆起部を具える、請求項４に記載のガラス板。
【請求項６】
前記基部（１０）からみて外方に向く前記側壁（３０）の上端部（３８）は、少なくとも部分的にじょうご状に傾斜している、請求項３〜５の何れか一項に記載のガラス板。
【請求項７】
前記基部（１０）は、前記側壁（３０）の間に配置された少なくとも１つの貫通孔（１２）を有し、前記貫通孔は、前記保持ソケット（３）に固定されたはめ込み部品（２）の、前記ガラス板（１）との直接接触を可能にする、請求項３〜６の何れか一項に記載のガラス板。
【請求項８】
前記貫通孔（１２）は、前記基部（１０）により全周にわたって囲まれた、請求項７に記載のガラス板。
【請求項９】
前記基部（１０）は、前記側壁（３０）に隣接する接着フランジ（１４）を具える、請求項３〜８の何れか一項に記載のガラス板。
【請求項１０】
前記保持ソケット（３）は、前記基部（１０）又は前記ガラス板（１）とともにトンネル状の第２の収容スペース（５２）を形成する少なくとも１つのブリッジ（５０）を具える、請求項３〜９の何れか一項に記載のガラス板。
【請求項１１】
前記ブリッジ（５０）は、前記側壁（３０）から直接又は離間して、該側壁の長手方向に続く、請求項１０に記載のガラス板。
【請求項１２】
前記ブリッジ（５０）の領域内に、少なくとも１つの固定要素（５６）が設けられ、該固定要素を用いて前記はめ込み部品（２）の保持部（４）を前記第２収容スペース（５２）内に固定可能である、請求項１０又は１１に記載のガラス板。
【請求項１３】
前記固定要素（５６）は、前記ブリッジ（５０）のカバー帯（５８）及び／又はサイドサポート（６０）に沿う少なくとも１つの係止隆起部を具える、請求項１２に記載のガラス板。
【請求項１４】
前記基部（１０）からみて外方に向く前記ブリッジ（５０）の外端部（６２）は、少なくとも部分的にじょうご状に傾斜している、請求項１０〜１３の何れか一項に記載のガラス板。
【請求項１５】
前記保持ソケット（３）内に、対応する収容スペース（３２、５２）内への前記保持部（４）の導入を容易にし、及び／又は前記保持部（４）を対応する収容スペース（３２、５２）内に固定する少なくとも１つの磁気ガイド又は固定要素を設けた、請求項１〜１４の何れか一項に記載のガラス板。
【請求項１６】
少なくとも１つの保持ソケット（３）が固定されており、はめ込み部品（２）が該保持ソケット（３）に取り外し可能に固定されている、請求項２〜１５の何れか一項に記載のガラス板。
【請求項１７】
少なくとも１つの前記保持ソケット（３）は、その基部（１０）内に貫通穴（１２）を具え、該貫通孔内には、前記ガラス板（１）上の電気装置の少なくとも１つの接点（２０）が配置されており、前記はめ込み部品（２）は、該接点（２０）に取り外し可能に割り当てられた少なくとも１つの電気接点、特にばね接点（２４）を具える、請求項１６に記載のガラス板。
【請求項１８】
前記保持ソケット（３）は、前記基部（１０）に対して直角に延びる少なくとも２つの側壁（３０）を具え、前記側壁は、それらの間に前記第１収容スペース（３２）を包囲する、請求項１に記載のガラス板。
【請求項１９】
前記側壁（３０）の領域内に、少なくとも１つの固定要素（３６）が設けられ、該固定要素を用いて前記はめ込み部品（２）の保持部（４）を前記第１収容スペース（３２）内に固定可能である、請求項１８に記載のガラス板。
【請求項２０】
前記固定要素（３６）は、前記基部（１０）に対して平行に延びる少なくとも１つの係止隆起部を具える、請求項１９に記載のガラス板。
【請求項２１】
前記基部（１０）からみて外方に向く前記側壁（３０）の上端部（３８）は、少なくとも部分的にじょうご状に傾斜している、請求項１８〜２０の何れか一項に記載のガラス板。
【請求項２２】
前記保持ソケット（３）は、前記基部（１０）又は前記ガラス板（１）とともにトンネル状の第２の収容スペース（５２）を形成する少なくとも１つのブリッジ（５０）を具える、請求項１８〜２１の何れか一項に記載のガラス板。
【請求項２３】
前記ブリッジ（５０）は、側壁（３０）から直接又は離間して、該側壁の長手方向に延びる、請求項２２に記載のガラス板。
【請求項２４】
前記ブリッジ（５０）の領域内に、少なくとも１つの固定要素（５６）が設けられ、該固定要素を用いて前記はめ込み部品（２）の保持部（４）を前記第２収容スペース（５２）内に固定可能である、請求項２２又は２３に記載のガラス板。
【請求項２５】
前記固定要素（５６）は、前記ブリッジ（５０）のカバー帯（５８）及び／又はサイドサポート（６０）に沿う少なくとも１つの係止隆起部を具える、請求項２４に記載のガラス板。
【請求項２６】
前記側壁（３０）からみて外方に向く前記ブリッジ（５０）の外端部（６２）は、少なくとも部分的にじょうご状に傾斜している、請求項２２〜２５の何れか一項に記載のガラス板。
【請求項２７】
前記保持ソケット（３）内に、対応する収容スペース（３２、５２）内への前記保持部（４）の導入を容易にし、及び／又は前記保持部（４）を対応する収容スペース（３２、５２）内に固定する少なくとも１つの磁気ガイド又は固定要素を設けた、請求項１８〜２６の何れか一項に記載のガラス板。
【請求項２８】
少なくとも１つの保持ソケット（３）が固定されたガラス板（１）であり、はめ込み部品（２）が該保持ソケット（３）に取り外し可能に固定されている、請求項１８〜２７の何れか一項に記載のガラス板。
【発明の詳細な説明】
【技術分野】
【０００１】
この発明は、ガラス板、特に、保持ソケットの補助によりはめ込み部品が取り外し可能に固定された自動車用ガラス板に関し、また同様に保持ソケットに関する。
【背景技術】
【０００２】
ガラス板、特に自動車用ガラス板に装備される機能の多様性は増大し続けており、それらは一般に、ガラス板に永久的に又は取り外し可能に接続されたはめ込み部品を用いることにより利用可能となる。そのような機能の幾つかの例は、周波数レンジがｋＨｚレンジからＧＨｚレンジのアンテナを用いた電磁信号の受信及び送信、周囲条件の検出、レインセンサ、温度センサもしくは光センサ等のセンサを用いた信号の検出、ブレーキ又は信号燈を用いた発光、又はミラーボスを用いたミラーのよう装置のキャリアとしてガラス板を利用するであり、またその他にも多数ある。これに関連し、ガラス板に取り付けられるはめ込み部品としては、例えば、アンテナや、アンテナ増幅器、ターミナル又はコネクタ等の電子要素、単一ライト又はライトを結集させた形式のブレーキライト、光学的又は電気的なレインセンサがあり、またその他にも多数ある。
【０００３】
場合によっては、はめ込み部品はガラス板に機械的に接続されるのみでなく、ガラス板内部に内蔵又は接続されたアンテナや加熱エレメント等の機能的要素の接点を有する電気的接続も付加的に形成され、これら接点はガラス板上又は内に配置される。
【０００４】
はめ込み部品の、ガラス板への機械的な接続は、実際には、例えば接着、クランプ固定、モールド固定、はんだ付け、溶接のような技術を用いて行われる。一般に永久的又は取り外し不可能であるこのような接続技術の欠点は、機械的接続の製品が高価であることであり、それは、アプリケーション特有の固有振動数の問題から自動化すること困難であるからであり、また仮に自動化できたとしても多大な投資支出を伴い、また同様に修理の場合も大きな支出となる。
【０００５】
ガラス板上又は内に接点を有するはめ込み部品の電気的な接続には、通常、はんだ付け技術が用いられているが、導電性の接着剤も用いられている。また弾性的な圧縮応力によりはめ込み部品の電気接点をガラス板上の対応する接点に対して押圧して電気的な接触をもたらす提案（特に、特許文献１）もなされている。
【０００６】
特に自動車のフロントガラス上に室内ミラー又はレインセンサのようなはめ込み部品を取り外し可能に固定するにあたり、先ず、保持ソケットをガラス板に接着させた後に、遅くともそのガラス板を自動車に取り付けるまでにはめ込み部品を機械的に保持ソケットに接続し、このようにしてはめ込み部品をガラス板に固定させることは一般的である（例えば、特許文献２）。
【０００７】
保持ソケットの利用は、高周波デバイス、すなわちアンテナ増幅器又はアンテナ整合回路を固定するのに提案されている。特許文献３には、そのような高周波デバイスを取り外し可能に収容するフレーム状の保持ソケットが開示されている。フレーム状の保持ソケットは、ガラス板上に印刷されたアンテナコンダクタの複数の接点を包囲する。それは、平らな帯状のフレーム脚部内に、フレームの内方に向かう突起を有し、これら突起は、保持ソケットに収容される高周波デバイスの縁部に設けられた突起を押すことができ、その結果として、高周波デバイスは、フレーム状の装置により形成された収納スペース内のガラス板に押し付けられてそこに固定される。突起は、高周波デバイスが、収納スペース内にガラス板の表面に対して平行な状態で押し込まれるのを可能にする、３つの側面に配置された案内レールとしてか、又はそれらを穴開きするよう設計されている。後者の場合には、高周波デバイスは先ずガラス板に対して直角にフレーム状の保持ソケットの収納スペース内に導入され、その後、固定の目的で保持ソケット内で僅かに側方に押される。この高周波デバイスには、高周波デバイスの固定と同時に、フレーム状の保持ソケット内側のガラス板上の接点に取り外し可能に接触するばね接点が設けられている。既知の保持ソケットは、アンテナ増幅器のようなはめ込み部品をガラス板に固定することをもっぱら意図したものであり、比較的複雑かつ高価であり、また一方で、使用に際して高い柔軟性を示すものではない。
【０００８】
【特許文献１】国際公開第２００４／０３４５１０号パンフレット
【特許文献２】国際公開第９９／２１２０６号パンフレット
【特許文献３】独国特許出願公開第１９８２３２０２号明細書
【発明の開示】
【発明が解決しようとする課題】
【０００９】
この発明の根本的な課題は、はめ込み部品をガラス板に取り付けるにあたり、種々のはめ込み部品を種々の移動方向に固定可能とする改良された保持ソケットを提供することである。保持ソケットは、コスト効率良く製造可能であるべきであり、また、必要に応じて、ガラス板内に内蔵され又はガラス板上に接続された電気装置若しくは部品に対して、はめ込み部品とガラス板上に配置された接点との間の電気的接触を可能とすべきである。
【課題を解決するための手段】
【００１０】
この課題は、請求項１の内容により解決される。有利な発展は、従属請求項２〜１５及び１９〜２８によって与えられる。この発明に従う少なくとも１つの保持ソケットを有するガラス板、及び必要に応じそれらに固定する少なくとも１つのはめ込み部品は、請求項１６〜１８及び２９〜３０の内容である。
【００１１】
この発明に従う、はめ込み部品をガラス板に取り外し可能に固定するための保持ソケットは、基部及び、はめ込み部品の対応する保持部を取り外し可能に固定する少なくとも２つの収容スペースを有し、第１収容スペースは、基部に対して直角な移動方向に導入可能なはめ込み部品の保持部を収容するよう配置され、第２収容スペースは、基部に対して平行な移動方向に導入可能なはめ込み部品の保持部を収容するよう配置されている。
【００１２】
第１の実施例では、基部は、保持ソケットをガラス板に固定する、特に接着するのに用いられる。以下、主に第１実施例について説明する。多くの点においてこの発明のより一般的な態様を理解可能であるが、第一に基部は、基準面、及び双方の収容スペースに共通するサポート機能を与えるよう作用し、保持ソケットを、後に記載及び説明するように側壁及び／又はサイドサポートを介してガラス板に代替的に取り付けても良い。
【００１３】
２つの異なる収容スペースを設けることにより、はめ込み部品を異なる固定方向に固定する際に、同一の保持ソケットを用いることが可能となる。寸法の大きいはめ込み部品を固定するため、多くの保持ソケットをガラス板上に互いに離間させて配置し得るようにするためには、保持ソケットが、はめ込み部品の保持部にそれぞれ割り当てられるよう、個々の保持ソケットの寸法を比較的小さくする必要がある。
【００１４】
収容スペースは、適切な形状の保持部をその内部の所望の保持位置に収容し得るとともに取り外し可能に固定し得るよう設計されている。収容スペースに設けられた固定手段は、それぞれの収容スペース内又はその外側に配置することができる。収容スペースは通常、レール又は壁のような案内要素を具えており、これにより導入される保持部を、所望の移動方向に従わせつつ保持位置に導き入れることができるとともにそこに保持させることができる。
【００１５】
この発明に従う保持ソケットの普遍的有用性の目的を達成するため、第１収容スペースは、タンク状又はチャンネル状の構造、すなわちガラス板から見た上部が開放された構造とすることが好ましく、このようにすれば、対応する保持部を上方から、すなわちガラス板に対して本質的に直角に導入することが可能となる。一方で、第２収容スペースは、トンネル状又はブリッジ状の構造、すなわちガラス板から見て外方を向き、この収容スペースに導入されたはめ込み部品の保持部がガラス板から離脱するのを防止することにより保持部をガラス板に直角な移動方向に機械的に安定させるカバー帯を何れにせよ有する構造とすることが好ましい。
【００１６】
より一般的に、第１収容スペースは、対応する保持部が、ガラス板に平行又は直角に配置し得る基部に対して直角に導入されることを許容するのに対し、第２収容スペースは、トンネル状又はブリッジ状の構造、すなわち基部から見て外方を向き、この収容スペースに導入されたはめ込み部品の保持部が基部に対して直角に離脱するのを防止することにより、保持部をガラス板に対して機械的に安定させるカバー帯を何れにせよ有する構造とすることが好ましい。
【００１７】
保持ソケットは、基部上及び、第１実施例においては、ガラス板からみて外方を向き、前記基部（及び随意的にガラス板）に対して直角に延びるその側面上に配置された少なくとも２つの側壁を有することが好ましく、前記側壁は、それらの間に第１収容スペースを包囲する。側壁は、それらの間に、第１収容スペース内に導入されたはめ込み部品の、対応する保持部を少なくとも部分的に包囲する。はめ込み部品の保持部は、それら側壁よりも高く又は低くなるよう設定することができる。保持部を、特に第１収容スペースを越えて連続して延ばすこともでき、これによれば、両側面において、側壁、特にこれらの上端部が保持部によって少なくとも部分的に包囲される。
【００１８】
一般に、側壁の領域内には、はめ込み部品の導入後にその保持部の、第１収容スペース内への固定を可能とする固定要素、すなわち、特に保持位置に到達した後に導入時の移動方向に対して反対する方向への望ましくない脱離又は位置ずれを防ぐ少なくとも１つの固定要素が設けられている。固定要素は、基部に対して平行に延びる少なくとも１つの係止隆起部を好ましくは具えることができる。係止隆起部は、少なくとも一方の側壁の拡大突起を意味し、保持部の対応する窪みと係合するか、あるいは保持部が保持位置に到達した後に保持部を把持する。言うまでもないが、側壁の寸法及び材質を適切に選定することにより、必要に応じて係止隆起部が、まず保持部が導入された際に変形し折れ曲がり、次いで係止位置に戻り保持部を確実に固定し得るようにする必要がある。さらには、言うまでもないが、逆配置において、係止隆起部を、保持部内に配置された拡大突起と係合可能な側壁内の切欠き又は溝として設計することもできる。
【００１９】
このような係止隆起部を側壁の領域内に設ければ、この発明に従う保持ソケットの補助によるはめ込み部品の他の類型の固定として、はめ込み部品の保持部を、ガラス板に対して、より一般には基部に対して平行に第１収容スペース内に押し込むことが容易となる。この第３の固定類型を設けることで、係止隆起部は保持部の案内レールとして作用する。
【００２０】
基部からみて外方に向く側壁の上端部が少なくとも部分的にじょうご状に傾斜している場合には、固定されるはめ込み部品の保持部は第１収容スペース内に容易に導入され、保持部は芯合わせされるか又は第１収容スペースの方向に導かれる。
【００２１】
例えば修理目的でのはめ込み部品の取り外しは、係止接続を開放することにより行われ、この目的のためには既知の適切な工具を用いることができる。代替的又は随意的に、保持ソケットは、必要に応じてはめ込み部品の取り外しを容易にする補助手段を備えることができる。
【００２２】
特に、この発明に従う保持ソケットの領域内で、固定されるはめ込み部品とガラス板側の電気装置との間の電気接続を形成することを目的とする場合、基部は、側壁間に配置された少なくとも１つの貫通孔を有することが好適であり、その貫通孔は、保持ソケット内に固定されたはめ込み部品又はそれに配置された特にばね接点と、ガラス板又はそこに配置された接点との直接的な接触又はより正確な接触を可能にする。通常、基部に対して又はガラス板に対して直角に延びる貫通孔は、特に安定性の理由から基部によってその全周を包囲されている。基部、特に側壁によって囲まれた第１収容スペースの端面の１つの領域内を開放するのもこの発明の範囲内であり、これによれば、基部の平面内の少なくとも一方に開放する貫通孔が形成される。これは、特にはめ込み部品の下面に接点が設けられている場合に、はめ込み部品の保持部を容易に圧入することができる。
【００２３】
基部は、特に、２つの収容スペースを形成するこの発明に従う保持ソケットの支持要素として作用する。基部の下面が取り付けされた状態においてガラス板に対向する場合、当該下面は、平坦、又は必要に応じてガラス板の形状に対応して湾曲した形状に形成される。基部は、その下面にて、種々な方法、例えば、はんだ付けや摩擦溶接のみならず、特に接着結合によってガラス板に固定することができる。最も単純な実施例の形態としては、基部の下面の一部又は全体は接着面として作用し、保持ソケットをガラス板に固定（押圧）するのに先立って、それら上には適切な接着剤の薄い層が積層されている。基部は、側壁に隣接する別の接着フランジを具えることが好ましく、これによれば、保持ソケットは、ガラス板に接着される。接着結合に代えて、はんだ付けによる結合又はこれと同様のものを接着フランジの領域内に形成することができる。
【００２４】
表面上に適用された接着剤又ははんだを用いた接着結合又ははんだ付けに代えて、基部の下面内の、及び特に接着フランジ内の下方に向けて開口する接着剤室内に接着剤層又ははんだ層を用いても正常に機能させることが可能である。
【００２５】
代替の装置において、保持ソケットは、他の表面、すなわち、その側壁を介してガラス板に取り付けても良く、これは、基部との関連において前述したような構成に必要となる。
【００２６】
特に好適な実施例の形態によれば、この発明に従う保持ソケットは、基部又はガラス板（第１実施例の取り付けられた状態）とともに第２のトンネル状の収容スペースを形成する少なくとも１つのブリッジを具え、このブリッジは、特に側壁の長手方向にその後方から直接又は離間して続く。
【００２７】
第１収容スペースの場合のように、第２収容スペースが設けられていた場合、第２収容スペースは、ブリッジの領域内に少なくとも１つの固定要素を具えることが好ましく、これによれば、はめ込み部品の収容部を第２収容スペース内に固定することができ、従って、保持位置に到達した後の、その内部に導入されたはめ込み部品の保持部の望ましくない離脱又は位置ずれは防止される。
【００２８】
好適な実施例の形態によれば、固定要素は、ブリッジのカバー帯及び／又は（一般に基部又はガラス板に対して直角に配置される）サイドサポートの一方に沿う少なくとも１つの係止隆起部を具える。
【００２９】
第１収容スペースに対応し、側壁からみて外方に向き、第２収容スペース内への保持部の導入が行われるブリッジの外端部は、少なくとも部分的にじょうご状に傾斜するのが好ましく、これによれば、保持部は、芯合わせされ、又は第２収容スペースの方向に案内される。
【００３０】
実施例の別の形態によれば、保持ソケットは、例えば、収容スペースの１つの領域内に配置可能な少なくとも１つの磁気ガイド又は固定要素を具える。この磁気ガイド又は固定要素に、固定されるはめ込み部品の保持部の領域内と対をなす少なくとも１つの対応する磁石又は１つの強磁性体を割り当てることができ、これにより、保持部は、保持ソケットのそれぞれの収容スペース内に導入される間、磁力の反発により案内され、又は反対極磁石の場合は磁力により保持ソケット内に引き付けられ保持位置に固定される。この発明の類型は、意図する場所及び所望の位置へのはめ込み部品の固定を容易かつより確実なものとすることができる。
【００３１】
この発明はまた、ガラス板に関し、特にガラス板に固定されるこの発明に従う少なくとも１つの保持ソケットを有する自動車のガラス板に関する。一般に、例えば、プラグイン式のコネクタのような小さなはめ込み部品をガラス板に固定するのであれば単一の保持ソケットで十分である。ブレーキライト、アンテナ又はアンテナ増幅器等のように大きなはめ込み部品の場合は、この発明に従う少なくとも２つの保持ソケットが一般に用いられ、特に保持部の１つが基部（ガラス板）に対して平行に、対応する保持ソケットの対応する収容スペース内に導入されるとともに、他方が基部（ガラス板）に対して直角にして同一形状の保持ソケットの他の収容スペース内に導入された場合に、保持ソケットの普遍性が有効に発揮される。特にばね接点を有するはめ込み部品が保持ソケット内に固定される場合、トンネル状の第２収容スペース内に導入される保持部にばね接点を設けることが好ましい。このようにすれば、ばね接点により与えられる弾性力は、それぞれの保持ソケットによって一層確実かつ永続的に吸収される。
【００３２】
この発明の特に好適な適用は、ガラス板及び少なくとも１つの保持ソケットから構成される装置であり、保持ソケットは、例えば基部内に、ガラス板上の電気装置の少なくとも１つの接点が配置される貫通孔を具え、はめ込み部品は、この接点に対応する少なくとも１つのばね接点を具える。
【００３３】
この発明に従う保持ソケットは、さまざまな材質から製造することができる。プラスチックで構成することは、コスト的な観点からだけでなく特に好ましい。具体的には、特に射出成形により、一体型の構造として製造できるからである。保持ソケットがガラス板から熱的に誘発されて離脱するのを防止するため、プラスチックは、ガラス板の熱膨張係数と極端には異ならない熱膨張係数を有するべきである。発明時には、約５０容積百分率（PBT  GF  ５０）までのガラス繊維比率を有するガラス繊維で強化されたポリブチレン・テレフタレート樹脂（PBT）が特に好適な材質とされている。この発明に従う保持ソケットの製造においては、プラスチックに代えて、又はプラスチックと組み合わせた材質、又は例えばマグネシウム若しくはその合金のような、又は特に鋳造法において鋳造可能な他の材質を用いることができる。
【００３４】
「ガラス板」には、単一板のみならず、合わせガラス板や複層ガラス板のような多数の単一板を含む複合ガラスユニットを含むものであり、単一ガラスは、無機ガラス又は透明プラスチックからも構成することができる。言うまでもなく、この発明は、ガラス板に代えて、文字通りシート状の他の材質の基板を使用した場合も用いることができる。
【００３５】
特許請求の範囲で用いられている「平行」及び「直角」のような用語及び移動方向又は相対配置の説明において、移動方向又は相対配置が数学的に正確な方向又は相対配置からおおよそ３０°を超えて逸脱しないかぎり、それらは、傾斜又は湾曲又は組み合わせた移動方向又は相対配置を含むことを意図したものである。
【発明を実施するための最良の形態】
【００３６】
この発明のさらなる詳細を、図を用いて以下に説明する。ここで、図１は、２つの保持ソケット及びこれら固定されるはめ込み部品を有する自動車用ガラス板を示す図であり、図２は、この発明に従う保持ソケットの第１実施例の斜視図であり、図３は、この発明に従う保持ソケットの第２実施例の斜視図であり、図４は、３つの異なる動作方向にはめ込み部品の保持部を導入可能な、ガラス板上の保持ソケットの側面図であり、図５〜８は、ガラス板上の２つの保持ソケット、及び保持部をそれら内に異なる方向に導入可能なはめ込み部品の、それぞれに異なる４つの装置を示す図である。なお、全ての図は、正確な縮尺でない線図である。また、同一の部材には同一の符号が付されている。
【００３７】
台形のガラス板１、すなわち、例えばバックライト又はワイドスクリーンのような自動車用ガラス板を図１に図示的に示す。２つの保持ソケット３はガラス板１に、その上側の板端近くに固定されており、はめ込み部品２は、保持部４にて保持ソケット３に取り外し可能に固定されている。はめ込み部品２は、例えば、ブレーキライト、レインセンサ、アンテナ、又はアンテナ増幅器等であってもよい。保持ソケット３の左側には、この保持ソケット３に通じ、保持ソケットの下方の端子面で終端する２つの供給ライン２２が示されている。はめ込み部品２には、例えば、保持ソケット３内に固定した後に、供給ライン２２を介してエネルギが供給され、又ははめ込み部品２から車両側の受信機へ、又は車両側の送信機からはめ込み部品２へ信号が送られる。
【００３８】
この発明に従う保持ソケット３の２つの実施例を図２及び３に示す。保持ソケット３は、双方向に延びる基部１０を有し、その下面はここでは図示しないガラス板１に固定されるよう意図されている。互いに離間する２つの側壁３０は、基部１０上に配置されるとともにそれに対して垂直であり、はめ込み部品２の保持部４（図示せず）を収容するための第１の収容スペース３２がそれらの間に囲まれている。第１収容スペース３２は、上部が開放されており、それにより保持部４を基部１０に対して垂直かつ側壁３０に対して平行に内部に導入することができる。基部１０は、側壁３０の間に、基部１０に対して垂直に延在する貫通孔１２を有し、その貫通孔１２を介して、はめ込み部品２の保持部４とガラス板１又はガラス板１上に位置する接点２０との間の直接接触が行われ得る。
【００３９】
図３において、貫通孔１２周辺には、ガラス板１の表面に位置する電気装置の２つの接点が示され、その接点には供給ライン２２が導出されている。
【００４０】
側壁３０の上端部３８は、じょうご状に傾斜しており、これにより、第１収容スペース３２内への、保持ソケット３内に固定されるはめ込み部品２の保持部４の導入は容易となる。上端部３８は同時に、係止隆起状の固定要素３６が形成されており、これにより、保持位置におけるはめ込み部品２の固定は確実となる。それらはまた、もう１つの動作として保持部４を、上側からでなく基台１０に対して平行に左側から第１収容スペース３２内に押し込む場合には案内レールとして作用し得る。
【００４１】
図２に従う第１実施例では、基部１０は、第１収容スペース３２からみて外部に側壁３０に隣接して位置する２つの接着フランジ１４を有する。接着フランジ１４は、その下面に接着剤を具えることができ、接着フランジ１４はまた、下部に開放する接着室を具えることができ、接着剤はその中に配置され、保持ソケット３はその接着剤によりガラス板１に接着される。図３に従う２つの実施例において、基部１０の下面全体又はその一部は、接着面を形成する。接着接合に代えて又は接着接合に加えて、例えば、はんだ付けや溶接等により、ガラス板１に対する他種の機械的及び永久的な接続を行うことができ、例えば、はんだ付着物等を接着剤の代わりに設けることができる。
【００４２】
側壁３０の長手方向には、側壁から２つのサイドサポート６０及びカバー帯５８を具えるブリッジ５０の下方に位置する第２の収容スペース５２が延びる。図２に従う第１実施例の場合、基部１０はブリッジ５０の手前で終端し、従って、トンネル状の第２収容スペース５２は、設置された状態にてブリッジ５０及びガラス板１により全体的に囲まれる。第２実施例では、基部１０は、ブリッジ５０の下方にまで延びており、従ってこの場合、第２収容スペース５２はブリッジ５０及び基部１０により全体的に囲まれる。
【００４３】
ブリッジ５０の内側幅は、第１実施例（図２）では第１収容スペース３２の側壁間の距離よりも大きく、第２実施例（図３）では第１収容スペース３２の側壁間の距離と等しい。それは小さくすることもできる。同様に、２つの収容スペース３２、５２の高さ及び長さは、何れの場合においても互いに等しく又は異ならせることができる。トンネル状の収容スペース５２はまた、水平壁内に側壁３０から直接に又は間隔を持って延びる貫通孔として形成することができ、前記貫通孔は基部１０に対して平行に延在する。
【００４４】
図３に従う第２形式の実施例では、ブリッジ５０のカバー帯５８は、連続梁として形成される。同時に、第１収容スペース３２及び第２収容スペース５２の双方に固定要素５６が設けられており、前記固定要素５６は、基部１０内に窪み（係止溝）として形成されている。
【００４５】
図２に従う第１実施例の場合においては、ブリッジ５０のカバー帯５８は、その端部領域の矩形の切欠きにより仕切られた中央部を有する。カバー帯５８の中央部には、係止隆起状の固定要素５６が設けられている。切欠きを設けることにより、中央部を、対応する保持部４のはめ込み中に、切欠きが無い場合に比べより弾性的に変形し易くすることができるとともに、保持位置に達した後に後方に移動させることができ、保持部４内の対応する係止溝内に係止隆起部が係止される。
【００４６】
サイドサポート６０及びブリッジ５０のカバー帯５８は、基部１０及びガラス板１に対して平行に第２収容スペース５２内に導入されるはめ込み部品２の保持部４を案内かつ保持すると同時に、保持ソケット３を補強するよう作用する。先に示した２つの実施例とは異なり、ブリッジ５０の下方への保持部４の押込みを容易にするため、ブリッジの外端部６２は、側壁の外端部３８と同様に傾斜させることができる。また、同様の目的から、図２に示すようにカバー帯５８の中央部は傾斜している。
【００４７】
図４の側面図には、接着剤によりガラス板１に固定された、図２及び３に従う保持ソケット３が示されている。はめ込み部品２の保持部４をどのようにして保持ソケット３内に導入し得るかについて３つの異なる動作類型、すなわち、ガラス板１及び基部１０に対して平行に左側から第１収容スペース３２内に導入する動作、基部１０に対して垂直に上部から第１収容スペース３２内に導入する動作、そして、ガラス板１及び基部１０に対して平行に右側から第２収容スペース５２内に導入する動作が示されている。
【００４８】
３つの全ての類型において、保持部４は、それら下面に弾性的に変形可能なばね接点を具え、これらは金属ばね（左側及び右側の類型）又は圧縮可能な導電性プラスチック（中央の類型であり、例えば、シリコンベース上に銀粒子を充填してなるもの）で形成することができる。これらばね接点２４は、保持部４の保持位置において、それらが予張力の下、ガラス板１の表面上の対応する接点２０とそれぞれ接触するように配置され、従って、電気装置とはめ込み部品２の間に導電接続が生じる。言うまでもなく、容量接触はアンテナのような高周波（ＨＦ）要素にも用いることができる。
【００４９】
保持部４は、それらの下面に係止突起として形成された固定手段８をそれぞれ有し、それは最終的な保持位置において保持ソケット３（図３を参照）の対応する固定手段５６（係止溝）内に係止されることを目的とするものであり、従って、ガラス板１に対して平行な望ましくない動作は防止される。
【００５０】
図５〜８には、何れもこの発明に従う２つの保持ソケット３により、はめ込み部品２をガラス板１に取り外し可能に固定する４つの類型が示されている。はめ込み部品２は、例えば矩形のブレーキライトとすることができる。
【００５１】
図５によれば、２つの保持ソケット３は、互いに離間するとともに同一方向に配置されており、従って、第１収容スペース３２は左側に、第２収容スペース５２は右側にそれぞれ位置している。固定の目的で、はめ込み部品２は、保持ソケット３上に降下され、次いで、左側の保持部４は、左側の保持ソケット３であるトンネル状の第２収容スペース５２内に導入され、その後に又はそれと同時に、右側の保持部４は右側の保持ソケットである第１収容スペース３２内に導入される。はめ込み部品２は、保持ソケット３内に固定された後に、供給ライン２２に続きガラス板１上の電気装置（図示せず）に至る接点２０と導電接続するばね接点２４をその下側に有する。導入状態にて、トンネル状の収容スペース５２のブリッジ５０のカバー帯５８が、ばね接点２４に作用する永久的な弾性力を確実かつ耐久的に吸収し得るよう、電気接触する位置は、左側の保持ソケット３近傍に配置されている。
【００５２】
図６に示す類型によれば、保持ソケットは、それらの収容スペース３２が相互に向き合うよう配置されている。この類型では、はめ込み部品２は、上方からガラス板１に対して垂直な方向に移動され、その保持部４は保持ソケット３の収容スペース３２内に導入され、そこに取り外し可能に固定される。
【００５３】
図７に示す類型によれば、Ｕ字状のはめ込み部品２は、直角に突出する保持部４を有する。２つの保持ソケット３は、収容スペース５２がそれぞれ前方を向くようガラス板１上に相互に平行しかつ離間して固定されている。この場合、はめ込み部品２は、固定のため、前方から後方に移動され、従って保持部４はトンネル状の収容スペース５２内に滑り込み、そこに取り外し可能に固定される。
【００５４】
図１〜７に示されるように、保持ソケット３の基部１０は、ガラス板１に、例えばはんだ付け又は摩擦溶接以外に、特に接着接合により固定されている。しかし、代替として図８に概略して示されるように、保持ソケット３は、代わりに第１収容スペース３２の側壁３０及び／又はブリッジ５０のサイドサポート６０を用いてガラス板１に固定されていても良い。側壁３０及び／又はサイドサポート６０は、例えば、ガラスに、例えばはんだ付け又は摩擦溶接以外に、特に接着接合により固定されていても良い。固定のため、はめ込み部品２は、図８の左側に配置された第１の保持ソケット３の近傍に降下され、次いで一方の保持部４を第１保持ソケット３のトンネル状の第２収容スペース５２内に導入される。第２保持部４はその後、図８の右側に配置された第２の保持ソケット３の第１収容スペース３２内に、ガラス板１の表面に対して平行に導入される。
【００５５】
図５〜８に示されるように、はめ込み部品２は、一方の保持ソケット３の第１収容スペース３２及びもう１つの保持ソケット３の第２の収容スペース５２を用いて、ガラス板１に取り外し可能の固定されていても良い。従って、各保持ソケット３は、使用されない収容スペース５２、３２を有する。さらに、はめ込み部品２は、これら使用されない収容スペース５２、３２を用いてガラス板１に取り外し可能に固定されていても良い。このようにして、保持ソケット３は、２つ又はそれ以上のはめ込み部品を結合するのに用いることができる。
【図面の簡単な説明】
【００５６】
【図１】２つの保持ソケット及びそれらに固定されるはめ込み部品を有する自動車用ガラス板を示す図である。
【図２】この発明に従う保持ソケットの第１実施例の斜視図である。
【図３】この発明に従う保持ソケットの第２実施例の斜視図である。
【図４】３つの異なる動作方向にはめ込み部品の保持部を導入可能な、ガラス板上の保持ソケットの側面図である。
【図５】ガラス板上の２つの保持ソケット、及び保持部をそれら内に異なる方向に導入可能なはめ込み部品を示す図である。
【図６】ガラス板上の２つの保持ソケット、及び保持部をそれら内に異なる方向に導入可能なはめ込み部品を示す図である。
【図７】ガラス板上の２つの保持ソケット、及び保持部をそれら内に異なる方向に導入可能なはめ込み部品を示す図である。
【図８】ガラス板上の２つの保持ソケット、及び保持部をそれら内に異なる方向に導入可能なはめ込み部品を示す図である。
【図１】
2008529206.tif 000003
【図２】
2008529206.tif 000004
【図３】
2008529206.tif 000005
【図４】
2008529206.tif 000006
【図５】
2008529206.tif 000007
【図６】
2008529206.tif 000008
【図７】
2008529206.tif 000009
【図８】
2008529206.tif 000010
【手続補正書】
【提出日】平成19年4月4日(2007.4.4)
【手続補正１】
【補正対象書類名】明細書
【補正対象項目名】０００７
【補正方法】変更
【補正の内容】
【０００７】
保持ソケットの利用は、高周波デバイス、すなわちアンテナ増幅器又はアンテナ整合回路を固定するのに提案されている。特許文献３には、そのような高周波デバイスを取り外し可能に収容するフレーム状の保持ソケットが開示されている。フレーム状の保持ソケットは、ガラス板上に印刷されたアンテナコンダクタの複数の接点を包囲する。それは、平らな帯状のフレーム脚部内に、フレームの内方に向かう突起を有し、これら突起は、保持ソケットに収容される高周波デバイスの縁部に設けられた突起を押すことができ、その結果として、高周波デバイスは、フレーム状の装置により形成された収納スペース内のガラス板に押し付けられてそこに固定される。突起は、高周波デバイスが、収納スペース内にガラス板の表面に対して平行な状態で押し込まれるのを可能にする、３つの側面に配置された案内レールとしてか、又はそれらを穴開きするよう設計されている。後者の場合には、高周波デバイスは先ずガラス板に対して直角にフレーム状の保持ソケットの収納スペース内に導入され、その後、固定の目的で保持ソケット内で僅かに側方に押される。この高周波デバイスには、高周波デバイスの固定と同時に、フレーム状の保持ソケット内側のガラス板上の接点に取り外し可能に接触するばね接点が設けられている。既知の保持ソケットは、アンテナ増幅器のようなはめ込み部品をガラス板に固定することをもっぱら意図したものであり、比較的複雑かつ高価であり、また一方で、使用に際して高い柔軟性を示すものではない。また、他の技術には保持ソケットの利用を検討するものがある。例えば、特許文献４にはＩＣカード用のケーシングが開示されており、ＩＣパッケージは２つの収容スペースを有するケーシング内に挿入されている。特許文献５には、回転式の安全ソケットが開示されており、プラグが差し込まれる保持ソケットは、電気接点間を回転可能である。特許文献６には、電気トランキング用のプラグコネクタが開示されており、１つ以上の収容スペースを有する保持ソケット内に挿入される。しかしながら、これら文献は何れも、ガラス板にはめ込み部品を固定するのに適した技術を開示するものではない。
【手続補正２】
【補正対象書類名】明細書
【補正対象項目名】０００８
【補正方法】変更
【補正の内容】
【０００８】
【特許文献１】国際公開第２００４／０３４５１０号パンフレット
【特許文献２】国際公開第９９／２１２０６号パンフレット
【特許文献３】独国特許出願公開第１９８２３２０２号明細書
【特許文献４】米国特許出願公開第６７０４２０４号明細書
【特許文献５】米国特許出願公開第５０３５６３５号明細書
【特許文献６】米国特許出願公開第５５９５４９８号明細書
【手続補正３】
【補正対象書類名】明細書
【補正対象項目名】００１０
【補正方法】変更
【補正の内容】
【００１０】
この課題は、請求項１の内容により解決される。有利な発展は、従属請求項２〜２８によって与えられる。
【国際調査報告】
2008529206.tif 000011
2008529206.tif 000012
2008529206.tif 000013